(57)【要約】  ＬＥＤランプは、第１の端部の中央からから突出する付属物と、第２の端部のキャビティへの開口とを備える熱伝導性ベースとを含む。付属物は、キャビティに接続する通路を備える。ＬＥＤランプは、突出付属物の端部に配置され、ベースと熱伝達状態にあるＬＥＤ組立体をさらに含む。ＬＥＤランプは、第１の端部に配置される球状部を含み、付属物は、球状部の中心に向かう方向に突出し、ＬＥＤ組立体は、球状部の中心に近接する。ＬＥＤランプは、電気モジュールを収容するように構成され、ベースのキャビティの内部に配置される電気ハウジングをさらに含む。通路の内部に配置される電線は、ＬＥＤ組立体を電気モジュールに電気的に接続する。【選択図】図１Ａ
2016517150.tif 000002
【特許請求の範囲】
【請求項１】
第１の端部の中央からから突出する付属物と、第２の端部のキャビティへの開口とを備える熱伝導性ベースであって、前記付属物が前記キャビティに接続する通路を備える熱伝導性ベースと、
前記突出付属物の端部に配置され、前記ベースと熱伝達状態にある、ＬＥＤ組立体と、
前記第１の端部に配置される球状部であって、前記付属物が、前記球状部の中心に向かう方向に突出し、前記ＬＥＤ組立体が、前記球状部の中心に近接する、球状部と、
電気モジュールを収容するように構成され、前記ベースの前記キャビティの内部に配置される電気ハウジングと、
を備えるＬＥＤランプであって、
前記通路の内部に配置される電線は、前記ＬＥＤ組立体を前記電気モジュールに電気的に接続する、ＬＥＤランプ。
【請求項２】
前記電気ハウジングは、第１の端部において、前記熱伝導性ベースの複数の溝部に相互連結するように構成された複数の隆起部を備える、請求項１に記載のＬＥＤランプ。
【請求項３】
前記ＬＥＤ組立体は、四角形及び円形のうちの１つであるＬＥＤを備える、請求項１に記載のＬＥＤランプ。
【請求項４】
四角形のＬＥＤは、第１の直線部、第２の直線部、第３の直線部、及び第４の直線部を備え、前記第１の直線部、前記第２の直線部、前記第３の直線部、及び前記第４の直線部は、四角形を形成するように構成される、請求項３に記載のＬＥＤランプ。
【請求項５】
前記ＬＥＤは、前記熱伝導性ベースから離れる方向に向いた、前記ＬＥＤ組立体の第１の側に配置される、請求項３に記載のＬＥＤランプ。
【請求項６】
前記ＬＥＤ組立体は、前記熱伝導性ベースに向かう方向に向く、前記ＬＥＤ組立体の第２の側に第２のＬＥＤをさらに備える、請求項５に記載のＬＥＤランプ。
【請求項７】
第２のＬＥＤを備える第２の逆のＬＥＤ組立体をさらに備え、前記第２のＬＥＤ組立体は、前記突出付属物の端部に配置され、前記熱伝導性ベースに向かう方向に向いている、請求項３に記載のＬＥＤランプ。
【請求項８】
前記球状部は、ブロー成形プラスチックから成る、請求項１に記載のＬＥＤランプ。
【請求項９】
前記球状部は透明であり、前記ＬＥＤが露出する、請求項１に記載のＬＥＤランプ。
【請求項１０】
前記電気ハウジングは、前記電気モジュールを絶縁するために絶縁プラスチックから成る、請求項１に記載のＬＥＤランプ。
【請求項１１】
前記球状部の底部の外周は、前記球状部の中間部分の外周よりも小さい、請求項１に記載のＬＥＤランプ。
【請求項１２】
前記付属物は、前記ＬＥＤ組立体の四角切り欠きに位置合わせするように構成された四角プラットフォームを前記端部に備える、請求項１に記載のＬＥＤランプ。
【請求項１３】
前記ＬＥＤ組立体は、接着剤を用いて前記突出付属物の前記端部に固定される、請求項１に記載のＬＥＤランプ。
【請求項１４】
前記熱伝導性ベースは、反射塗料膜で被覆される、請求項１に記載のＬＥＤランプ。
【請求項１５】
フィラメント型ＬＥＤランプを組み立てる方法であって、
熱伝導性ベースの第１の側の中央から延びる突出付属物上にＬＥＤを備えるＬＥＤ組立体を配置する段階と、
電気ハウジングの内部に電気モジュールを配置する段階と、
前記電気モジュールに接続する電線を、前記突出付属物の通路を通して前記ＬＥＤ組立体まで延ばす段階であって、前記通路が、前記突出付属物の上部の開口を前記熱伝導性ベースのキャビティに接続するようになっている、段階と、
前記電気ハウジングを、前記ベースの第２の側の開口を通して前記熱伝導性ベースの前記キャビティの中に挿入する段階と、
前記電気ハウジングの複数の隆起部を前記熱伝導性ベースの複数の溝部に相互連結することで、前記電気ハウジングを前記熱伝導性ベースの内部に固定する段階と、
球状部を、前記熱伝導性ベースの前記第１の側で、前記ＬＥＤ組立体上に配置する段階と、
を含む方法。
【発明の詳細な説明】
【技術分野】
【０００１】
本開示はランプの分野に関する。より具体的には、本開示はＬＥＤランプに関する。
【背景技術】
【０００２】
白熱電球は、フィラメント線が通過電流で加熱される際に光を発生する。白熱電球は、種々の用途で一般に使用される。しかしながら、白熱電球は、ＬＥＤ電球に比べて効率が悪く有効性が低い場合があり、一般により効率が高く有効性が高いＬＥＤ電球に置き換えられている。
【０００３】
しかしながら、ＬＥＤ光源は、寸法がより小型であり、ルーメン出力が作動温度の影響を受けやすい。従って、ＬＥＤランプは、適切に放熱してＬＥＤの過熱及び故障を防ぐために、白熱ランプでは必要のない放熱特徴部を必要とする場合がある。加えて、ＬＥＤランプは、光を発生させるためにフィラメント線を加熱しない。正確には、ＬＥＤは、半導体光源である。
【発明の概要】
【発明が解決しようとする課題】
【０００４】
従って、ヒートシンクを含むＬＥＤをランプ内に組み込むとランプの外観が変わる場合があり望ましくない。
【課題を解決するための手段】
【０００５】
ＬＥＤランプは、第１の端部の中央からから突出する付属物と、第２の端部のキャビティへの開口とを備える熱伝導性ベースとを含む。付属物は、キャビティに接続する通路を備える。ＬＥＤランプは、突出付属物の端部に配置され、ベースと熱伝達状態にあるＬＥＤ組立体をさらに含む。ＬＥＤランプは、第１の端部に配置される球状部を含み、付属物は、球状部の中心に向かう方向に突出し、ＬＥＤ組立体は、球状部の中心に近接する。ＬＥＤランプは、電気モジュールを収容するように構成され、ベースのキャビティの内部に配置される電気ハウジングをさらに含む。通路の内部に配置される電線は、ＬＥＤ組立体を電気モジュールに電気的に接続する。
【０００６】
フィラメント型ＬＥＤランプを組み立てる方法は、熱伝導性ベースの第１の側の中央から延びる突出付属物上に、ＬＥＤを備えるＬＥＤ組立体を配置する段階を含む。本方法は、電気ハウジングの内部に電気モジュールを配置する段階をさらに含む。本方法は、電気モジュールに接続する電線を、突出付属物の通路を通してＬＥＤ組立体まで延ばす段階をさらに含み、該通路は、突出付属物の上部の開口を熱伝導性ベースのキャビティに接続する。本方法は、電気ハウジングを、ベースの第２の側の開口を通して熱伝導性ベースのキャビティの中に挿入する段階をさらに含む。本方法は、電気ハウジングの複数の隆起部を熱伝導性ベースの複数の溝部に相互連結することで、電気ハウジングを熱伝導性ベースの内部に固定する段階をさらに含む。本方法は、球状部を、熱伝導性ベースの第１の側で、ＬＥＤ組立体上に配置する段階をさらに含む。
【０００７】
添付の図面において、以下の詳細な説明と共に、本教示の例示的な態様を説明する構造体が示されている。同じ要素には同じ参照番号が付与される。単一の構成要素として示される各要素は、複数の構成要素に置き換えることができること、さらに複数の構成要素で示される各要素は、単一の構成要素に置き換えることができることを理解されたい。各図面は縮尺通りではなく、特定要素の比率は説明目的で誇張されている。
【図面の簡単な説明】
【０００８】
【図１Ａ】例示的なフィラメント型ＬＥＤランプの側面図を示す。
【図１Ｂ】例示的なフィラメント型ＬＥＤランプの上面図を示す。
【図２Ａ】図１Ａ及び１Ｂの例示的なフィラメント型ＬＥＤランプの等角分解組立図を示す。
【図２Ｂ】図１Ａ及び１Ｂの例示的なフィラメント型ＬＥＤランプの他の等角分解組立図を示す。
【図３】図１Ａ及び１Ｂの例示的なフィラメント型ＬＥＤランプに用いる例示的なＬＥＤ組立体の等角図を示す。
【図４】例示的なＬＥＤ組立体の側面図を示す。
【図５】フィラメント型ＬＥＤランプを組み立てる方法を示すフローチャートである。
【発明を実施するための形態】
【０００９】
図１Ａ及び１Ｂは、例示的なフィラメント型ＬＥＤランプ１００（以下、ランプ１００と呼ぶ）の側面図及び上面図をそれぞれ示す。ランプ１００は、ランプ１００に電力を供給するための電子機器（図示せず）を隠蔽する熱伝導性ベース１０２（以下、ベース１０２と呼ぶ）を有する。ベース１０２は、熱可塑性プラスチック、プラスチック、アルミニウム、又はランプ１００から熱を放散することができる他の適切な材料で構成することができる。
【００１０】
ベース１０２は、該ベース１０２の第１に端部すなわち上部の中央から突出する付属物（ａｐｐｅｎｄａｇｅ）１０４すなわち小型タワーを有する。突出付属物１０４は同様に熱伝導性である。ＬＥＤ組立体１０６は、突出付属物１０４の端部に配置され、突出付属物１０４、結果的にベース１０２と熱伝達状態にある。ランプ１００は、第１の端部において突出付属物１０４及びＬＥＤ組立体１０６を取り囲む球状部を有する。突出付属物１０４は、球状部１０８の中心に向かう方向に突出する。これは球状部のほぼ中間まで突出するので、ＬＥＤ組立体１０６は、球状部１０８のほぼ中心に配置される。
【００１１】
球状部１０８は透明とすることができるので、突出付属物１０４及びＬＥＤ組立体１０６は、球状部１０８の外側から見える。１つの実施例において、球状部１０８は、半透明又は不透明である。１つの実施例において、球状部１０８はブロー成形プラスチック製であり、球状部１０８に所望の外観を与えるようになっている。図１Ａに示す実施例において、球状部１０８の底部は、中間部の外周よりも小さな外周を有する。換言すると、球状部１０８は、円形形状とすることができる。他の実施例において、球状部１０８は、他の適切な形態又は形状に成形することができ、例えば、ろうそく形又は管形である。
【００１２】
図２Ａ及び２Ｂは、図１Ａ及び１Ｂの例示的なランプ１００のそれぞれ別の角度からの等角分解組立体を示す。ランプ１００は、ＬＥＤ組立体１０６に電力を供給する電気モジュール（図示せず）を収容する電気ハウジング２０２をさらに含む。電気ハウジング２０２は、突出付属物１０４とは反対側のベース１０２の第２の端部すなわち裏側の開口を通って、ベース１０２内部のキャビティ２０４すなわち空所に滑り込む。
【００１３】
電気ハウジング２０２は、ベース１０２と相互連結してしっかりと結合する。特に、電気ハウジング２０２は、第１の端部に隆起部２０６を含む。電気ハウジングがベース１０２のキャビティ２０４に滑り込む場合、隆起部はベース１０２の溝部２０８と相互連結する。１つの実施例において、電気ハウジング２０２は、電気モジュールを絶縁するために絶縁プラスチックで作られている。
【００１４】
突出付属物１０４は、付属物の開口２１０を介してキャビティ２０４を突出隆起部１０４の上部に接続する通路（図示せず）を有する。この通路は、突出隆起部１０４の内部の空洞であり、これによって、電線及び他の適切な電気接続部が、電気ハウジング２０２の内部の電気モジュールから突出付属物１０４の上面のＬＥＤ組立体１０６まで通ることができる。
【００１５】
１つの実施例において、突出付属物１０４は、突出付属物１０４の上部で付属物の開口２１０を取り囲む、高くなった四角プラットフォーム２１２を含む。高くなった四角プラットフォーム２１２は、突出付属物１０４に対するＬＥＤ組立体１０６の効率的な結合のために、ＬＥＤ組立体１０６上の四角切り欠き２１４と位置合わせする。１つの実施例において、突出付属物１０４は、接着剤を使ってＬＥＤ組立体１０６に結合される。
【００１６】
また、ランプ１００は、該ランプ１００とランプや天井灯等の照明器具との間の電気接続部を形成するためのねじ付きキャップ２１８を含む。
【００１７】
図３は、図１Ａ及び１Ｂの例示的なランプ１００で使用するための例示的なＬＥＤ組立体１０６の等角図を示す。ＬＥＤ組立体１０６は、第１の電気接触点３０２及び第２の電気接触点３０４を有する。第１の電気接触点３０２及び第２の電気接触点３０４は、電気ハウジング２０２に収容された電気モジュールから、通路２０２を経由して四角の切り欠き２１４で受け取った電線又は他の適切な電気接続部と電気接触するように構成されている。
【００１８】
ＬＥＤ組立体１０６は光を発するためのＬＥＤ３０６を有する。ＬＥＤ３０６は、第１の直線部３０８、第２の直線部３１０、第３の直線部３１２、及び第４の直線部３１４を有する。第１の直線部３０８、第２の直線部３１０、第３の直線部３１２、及び第４の直線部３１４は、四角形を形成するようになっている。１つの実施例において、ＬＥＤ組立体１０６は、四角形を形成するように配置された４つの独立した直線状ＬＥＤ（図示せず）を含むことができる。１つの実施例において（図示せず）、ＬＥＤ組立体１０６は、三角形、五角形等の他の適切な形状をもたらすより多くの又はより少ない部分を含むことができる。１つの実施例において（図示せず）、ＬＥＤ３０６の各部分は非直線とすることができる。例えば、ＬＥＤ３０６は、円形又は輪状とすることができる。突出付属物１０４の上部に配置され、ＬＥＤ３０６を含むＬＥＤ組立体１０６は、該ＬＥＤ組立体１０６を取り囲む透明な球状部１０８と一緒になって、ランプ１００に対してユーザに望ましいであろう白熱電球の外観を与える。
【００１９】
ランプ１００は、光を上下方向に放射するように構成される。例えば、ＬＥＤ組立体１０６は、突出付属物１０４の上に配置することができ、ＬＥＤ３０６はベース１０２から離れる方向か又はベース１０２に向かう方向に向くことができる。従って、ＬＥＤ組立体１０６をひっくり返すと光放射の方向が変わる。１つの実施例において、ランプ１００は、ＬＥＤ組立体の配置方法に無関係に、両方向で不均等に光を放射するように構成することができる。例えば、ＬＥＤ組立体１０６が、ＬＥＤ３０６が上向きにつまりベース１０２から離れる方向に向く場合、ランプ１００は、発生した光の例えば６０％である第１のパーセンテージを上向きに放射し、光の例えば４０％である残りのパーセンテージを下向きに放射する。ＬＥＤ組立体１０６をひっくり返して、ランプ１００の光の大きなパーセンテージを下向きに放射させることで、ランプ１００から放射される光を調節する。
【００２０】
１つの実施例において、ベース１０の内側部分２１６は、液体塗料又は粉体塗料等の光反射塗料で被覆することができる。反射被覆によって、ランプ１００は光をより効率的に放射することができる。内側部分２１６は円形に示されているが、内側部分２１６は、ランプ１００の所望の性能に準じて光を反射することができる他の適切な形状又は形態とすることができることを理解されたい。
【００２１】
単一のＬＥＤ組立体１０６が示されているが、２つのＬＥＤ組立体（図示せず）を使用できることを理解されたい。例えば、第１のＬＥＤ組立体は、突出付属物１０４上に配置することができ、ＬＥＤは下向きに、つまりベース１０２の方を向いている。第２の逆さのＬＥＤ組立体は、突出付属物１０４の上で第１のＬＥＤ組立体の上部に配置することができ、第２のＬＥＤ組立体のＬＥＤは、上向きに、つまりベース１０２から離れる方向に向いている。従って、ランプ１００は、光を２つの方向、すなわち上方及び下方に均等に放射するように構成することができる。他の実施例において、ランプ１００は、図４に示すように、光を２つの方向に均等に放射するために、両面ＬＥＤ組立体を含むように構成することができる。具体的には、ＬＥＤ組立体４００は、ベース１０２から離れる方向に向く上側のＬＥＤ４０２、及びベース１０２の方を向く底部側のＬＥＤ４０４を含むことができる。
【００２２】
図５は、フィラメント型ＬＥＤランプを組み立てる方法を示すフローチャートである。ステップ５０２において、ＬＥＤを備えるＬＥＤ組立体を、熱伝導性ベースの第１の側の中央から延びる突出付属物の上に配置する。ステップ５０４において、電気モジュールを、電気ハウジングの内部に配置する。ステップ５０６において、電気モジュールに接続する電線を突出付属物の通路を経由してＬＥＤ組立体まで延ばす。この通路は、突出付属物の上部の開口と熱伝導性ベースの内部のキャビティとを接続するものである。ステップ５０８において、電気ハウジングを、ベースの第２の側の開口を通して、熱伝導性ベースのキャビティに挿入する。ステップ５１０において、電気ハウジングを、電気ハウジングの複数の隆起部を熱伝導性ベースの複数の溝部と相互連結することで、熱伝導性ベースの内部に固定する。ステップ５１２において、球状部を、熱伝導性ベースの第１の側でＬＥＤ組立体の上に配置する。
【００２３】
用語「含む」又は「含んでいる」が明細書又は請求項で使用される限りにおいて、請求項の連結詞として用いられる場合の用語「備えている」と同様に包括的であることが意図される。用語「又は」が用いられる場合（例えば、Ａ又はＢ）、「Ａ又はＢ、又は両方」を意味することが意図される。本出願人が、「両方ではなくＡ又はＢのみ」を指示すことを意図する場合、用語「両方ではなくＡ又はＢのみ」を用いることになる。従って、本明細書での「又は」の使用は包括的であり、排他的使用ではない。Ｂｒｙａｎ  Ａ．  Ｇａｒｎｅｒ著、Ａ  Ｄｉｃｔｉｏｎａｒｙ  ｏｆ  Ｍｏｄｅｒｎ  Ｌｅｇａｌ  Ｕｓａｇｅ  ６２４  （２ｄ．  Ｅｄ．  １９９５）を参照されたい。また、用語「内に（ｉｎ）」又は「内に（ｉｎｔｏ）」が明細書又は請求項で使用される限りにおいて、さらに「上に（ｏｎ）」又は「上に（ｏｎｔｏ）」を意味することが意図される。さらに、用語「結合する（ｃｏｎｎｅｃｔ）」が明細書又は請求項で使用される限りにおいて、「直接的に結合する」を意味するだけではなく、他の構成要素を介して結合されるような「間接的に結合する」を意味することが意図される。
【００２４】
本出願は、本開示の例示的な態様の説明によって例示されており、さらに例示的な態様は、かなり詳細に説明されているが、本出願では、特許請求の範囲はこのような詳細内容に限定されること又は何らかの制限を受けることは意図されていない。追加の利点及び変形例は、当業者であれば容易に理解できるはずである。従って、本出願は、その広範な態様において、特定の詳細内容に限定されず、代表的な装置及び方法並びに代表的な実施例が示されて説明される。従って、本出願人の全体的な発明コンセプトの精神又は範疇から逸脱することなく、このような詳細内容からの逸脱を行うことができる。
【符号の説明】
【００２５】
１００  ランプ
１０２  ベース
１０４  突出付属物
１０６  ＬＥＤ組立体
１０８  球状部
【図１Ａ】
2016517150.tif 000003
【図１Ｂ】
2016517150.tif 000004
【図２Ａ】
2016517150.tif 000005
【図２Ｂ】
2016517150.tif 000006
【図３】
2016517150.tif 000007
【図４】
2016517150.tif 000008
【図５】
2016517150.tif 000009
【国際調査報告】
2016517150.tif 000010